(57)【特許請求の範囲】
【請求項１】
左右に間隔を隔てた壁下地間に全長にわたって表面側が開放された断面コ字状の排水樋材を備えたジョイント手段を取付け、一方の壁パネルを壁下地に内側より固定ボルトにて固定し、固定された壁パネルの端部表面にカバープレートの巾方向の一側部を仮置きし、カバープレートと一方の壁パネルとの間にカバープレートの全長にわたって帯状のシールパッキンが配され、シールパッキンの裏面には幅方向に間隔を隔てて複数のシール脚が全長に突出され、固定された壁パネルのパネル側端面に対向させてパッキンが配され、カバープレートの巾方向の中央部にボルトを貫通させるとともにパッキンに挿通して壁下地に仮止めしてカバープレートを仮保持し、側方が開放されているカバープレートと他方の壁下地との間に他方の壁パネルを挿入して他方の壁パネルを他方の壁下地に内側より固定ボルトにて固定し、ボルトを内側より本締めしてカバープレートを押圧してシールパッキンの表面がカバープレートの裏面に、複数のシール脚の先端部が壁パネルの表面に弾接してシール脚間に排水空間を形成し、排水空間の巾及びパネル厚さ方向の空間高さを大気圧下の最大水滴径以上に設定して成ることを特徴とする壁パネル間のシール構造。
【請求項２】
排水空間が並置されて複数形成されて成ることを特徴とする請求項１記載の壁パネル間のシール構造。
【発明の詳細な説明】
【０００１】
【発明の属する技術分野】
本発明は、壁パネル間のシール構造に関し、詳しくは、壁パネル間の水密的なシール効果を簡単な構成で充分なものにし、かつ、このような施工を内側からおこなえるようにし、足場を組むことをなくすことも可能にする技術に係るものである。
【０００２】
【従来の技術】
左右の壁パネルの接続箇所の表面にカバープレートを装着するとともにシールを図って壁パネルを接続する際に、カバープレートと壁パネルとの間のシールを良好に図ることが困難であった。そこで、カバープレートと壁パネルとの間に介装するシールパッキンにヒレ状のシール片を複数設け、ヒレ状のシール片の間に空隙を形成することが考えられる。
【０００３】
ところで、シールパッキンによってカバープレートと壁パネルとの間に空隙を形成する構成においては、大気圧下で水滴が約８ｍｍ直径（大気圧下の最大水滴径）程度にまで大きくなることから、水滴が空隙を充填してしまい、毛細管現象にてパネル接続側に浸入するという問題があった。
【０００４】
一方、壁パネルの施工は屋外側に足場を組んでおこなうのであり、屋外側に足場を組むスペースを要するとともに足場を組み立てる作業及び解く作業を要し、施工性が低く、施工コストも高くなり、特に、足場を組むスペースがない場合の施工が甚だ困難となるものとなっていた。
【０００５】
【発明が解決しようとする課題】
本発明は上記の点に鑑みてなされたものであり、壁パネル間の水密的なシールを簡単な構成でありながら、充分なものにし、かつ、このような施工を内側からおこなえるようにし、結果として、足場を組むことをなくすことも可能にできる壁パネル間のシール構造を提供することを目的とするものである。
【０００６】
【課題を解決するための手段】
請求項１の発明においては、左右に間隔を隔てた壁下地３ａ，３ｂ間に全長にわたって表面側が開放された断面コ字状の排水樋材２１を備えたジョイント手段３１を取付け、一方の壁パネル１ａを壁下地３ａに内側より固定ボルト２４にて固定し、固定された壁パネル１ａの端部表面にカバープレート２の巾方向の一側部を仮置きし、カバープレート２と一方の壁パネル１ｂとの間にカバープレート２の全長にわたって帯状のシールパッキン８が配され、シールパッキン８の裏面には幅方向に間隔を隔てて複数のシール脚５、５が全長に突出され、固定された壁パネル１ａのパネル側端面１２に対向してパッキン３５が配され、カバープレート２の巾方向の中央部にボルト６を貫通させるとともにパッキン３５に挿通して壁下地３ａに仮止めしてカバープレート２を仮保持し、側方が開放されているカバープレート２と他方の壁下地３ｂとの間に他方の壁パネル１ｂを挿入して他方の壁パネル１ｂを他方の壁下地３ｂに内側より固定ボルト２４にて固定し、ボルト６を内側より本締めしてカバープレート２を押圧してシールパッキン８の表面がカバープレート２の裏面に、複数のシール脚５、５の先端部が壁パネル１ａの表面に弾接してシール脚５、５間に排水空間Ｗを形成し、排水空間Ｗの巾Ｌ及びパネル厚さ方向の空間高さＨを大気圧下の最大水滴径以上に設定していることを特徴とするものである。
【０００７】
このような構成によれば、一方の壁パネル１ａを一方の壁下地３ａに固定し、この固定された壁パネル１ａの端部表面に一側部を預けたカバープレート２を壁下地３ａ側に仮止めしたボルト６によって仮保持し、このようにカバープレート２と他方の壁下地３ｂ間が開放されている状態で、他方の壁パネル1ｂを側方から挿入して他方の壁パネル1ｂを裏面側から壁下地３ｂに固定し、カバープレート２を貫通しているボルト６を本締めして、左右の壁パネル１ａ，１ｂを壁下地３ａ，３ｂに押圧して左右の壁パネル１ａ，１ｂを内側からの作業にて固定することができるのであり、壁パネル１ａ，１ｂの施工に際して、外面に足場を組むことをなくすことができる。
この場合、シールパッキン８の表面がカバープレート２の裏面に、複数のシール脚５、５の先端部が壁パネル１ａの表面に弾接してシール脚５、５間に排水空間Ｗを形成し、排水空間Ｗは巾Ｌ及びパネル厚さ方向の空間高さＨを大気圧下の最大水滴径以上にしていて、カバープレート２と壁パネル１ａ、１ｂ間に介装したシールパッキン８の外側のシール脚５のシールを破って浸入した水分が例え８ｍｍ直径程度（大気圧下で最大径）にまで成長したとしても、水滴が排水空間Ｗを充填してしまうことがなく、排水空間Ｗにおいて毛細管現象を確実に阻止し、浸入した水滴を流下させて排水させることができるのであり、しかして、簡単の構成でありながら、壁パネル１ａ、１ｂの接続箇所におけるシール効果を効果的に高めることができる。
しかも、ボルト６が圧縮状態のパッキン３５に挿入されてボルト６を伝う雨水の伝い込みを防止することができ、取付けのためのボルト６の周りのシール精度を高めることができる。
【０００８】
請求項２の発明においては、排水空間Ｗが並置されて複数形成されていることを特徴とするものである。このような構成によれば、並置された複数の排水空間Ｗ、Ｗによって、一層、シール効果を高めることができる。
【００１５】
【発明の実施の形態】
以下、本発明の実施の形態を説明する。図１は全体断面図、図２は分解斜視図、図３（ａ）は縦方向の接続箇所の断面図、同図（ｂ）は斜視図、同図（ｃ）は作用を示す断面図、図４は拡大断面図である。
【００１６】
壁パネル１ａ（１ｂ）は、表裏の金属板９，１０間に無機繊維結合体のような断熱耐火材又は硬質ウレタンフォームやポリイソシアヌレートフォームのような有機系の断熱材１１を充填して構成したものであり、壁パネル１ａの左右端部に、表の金属板１を折り曲げてパネル側端面１２を形成している。壁パネル１ａの厚さ方向の中間部にパネル側端面１２に引き続いて外側方に折り曲げて壁パネル１ａの表面に略平行となる縦目地片１３（図６乃至図９）を形成していてもよい。縦目地片１３は製作の都合でなくてもよい。
【００１７】
図３（ａ）に示すように、壁パネル１ａの上端部にはボルト止め部１５がパネル表面部から凹入して段落とし状に形成されるとともに上端面に嵌合凹部１６が形成され、下端部には嵌合凸部１７が形成されるとともに覆い片１８が垂下されている。
【００１８】
以下、このような壁パネル１ａ，１ｂを左右方向に接続する構造及び施工法を詳述する。
【００１９】
図４（ａ）（ｂ）に示すように、壁パネル１ａ，１ｂを接続するために左右に間隔を隔てた壁下地３ａ，３ｂの下端部の胴縁材１９に水切り２０を取付ける。図２に示すように例えば、ジョイント手段３１を構成しているチャンネル状の排水樋材２１の背面には金属板を折り曲げてチャンネル形に形成している表塞ぎ板２３を例えば両面接着テープにて接着している。表塞ぎ板２３の内部にセラミックファイバーのような断熱材２２を充填し、平坦な裏塞ぎ板３０にて塞いでいる。
【００２０】
しかして、表裏の塞ぎ板２３、３０を左右の壁下地３ａ，３ｂ間にわたらせて例えば両面接着テープにて取付ける。壁パネル１ａのパネル側端面１２の内部空所に水密シール用のシール材４を充填している。
【００２１】
このような状態で、図４（ｄ）（ｅ）に示すように、一方の壁パネル１ａをクレーン等にて吊り下げて保持している状態で、壁下地３ａ及び壁パネル１ａに内部から電動工具にて穿孔をおこない、壁パネル１ａのパネル側端面１２の背部端が排水樋材２１の内部に入るように位置させ、又、パネル側端面１２に対向してブロック状のパッキン３５を配しておく。そして、屋内側に居る人が手を屋外側に出して固定ボルト２４を壁パネル１ａ及び壁下地３ａに屋外側から挿入してナット２５にて固定する。
【００２２】
次に、図５（ａ）に示すように、固定された壁パネル１ａの端部表面にカバープレート２の巾方向の一側部を仮置きし、カバープレート２の巾方向の中央部に形成されている溝２６においてボルト６を貫通させるとともに壁下地３ａに当てて（係止して）いる座金７に挿通してナット２８にて仮保持する。このようにして、側方が開放されているカバープレート２と他方の壁下地３ｂとの間に他方の壁パネル１ｂをクレーン等にて吊り下げながら挿入するのであり、この場合、排水樋材２１の両側壁２１ａ，２１ａの先端部を左右の壁パネル１ａ，１ｂの端部背面に付設したシール材４，４に圧入することで、高いシール機能を得るのであり、更に、壁下地３ｂと壁パネル１ｂに内側から電動工具にて穿孔をおこない、屋内側に居る人が固定ボルト２４を壁パネル１ｂ及び壁下地３ｂに挿通してナット２７にて固定する。
【００２３】
このように固定をおこなった後、ボルト６にナット２８を締め付けることで、カバープレート２を左右の壁パネル１ａ，１ｂに圧接して壁パネル１ａ，１ｂを接続するのである。この場合、ボルト６はパッキン３５の小径の挿通孔に弾入するのである。
【００２４】
このように、一方の壁パネル１ａのシールを図って一方の壁下地３ａに固定し、この固定された壁パネル１ａの端部表面に一側部を当接したカバープレート２と壁下地３ａの裏面に係止される座金７との間にボルト６を仮止めしてカバープレート２を仮保持し、このようにカバープレート２と他方の壁下地３ｂ間が開放されている状態で、他方の壁パネル1ｂを側方から挿入してシール材４にてシールを図って他方の壁パネル1ｂを裏面側から壁下地３ｂに固定し、カバープレート２を貫通しているボルト６を本締めして、左右の壁パネル１ａ，１ｂを壁下地３ａ，３ｂに押圧して左右の壁パネル１ａ，１ｂを内側からの作業にて固定することができるのであり、壁パネル１ａ，１ｂの施工に際して、外面に足場を組むことをなくすことができるものである。
【００２５】
このような屋内側からの施工は、図５（ｅ）に示すように、壁パネル１ａを施工壁面の上端にまで縦方向に接続施工した後、壁パネル１ｂを下段から施工するのである。
【００２６】
カバープレート２と壁パネル１ａ，１ｂとの間にはシールパッキン８を介装してあり、カバープレート２と壁パネル１ａ，１ｂとのシール効果を高めている。以下、詳述する。
【００２７】
カバープレート２の幅方向の両端部に端部片２ａ、２ａが壁パネル１ａ、１ｂ側に折り曲げられている。シールパッキン８の裏面には幅方向に間隔を隔てて複数のシール脚５、５を全長に突出してある。内方側のシール脚５は中空環状部３３となり、外方側のシール脚５はベローズ部２９となっていて、中空環状部３３を接続中央側に配して水密シール性を高めるようにしている。
【００２８】
しかして、カバープレート２の取付け状態において、シールパッキン８の表面がカバープレート２の裏面に、シール脚５である中空環状部３３及びベローズ部２９の先端部が壁パネル１ａの表面に弾接してシール脚５、５間に排水空間Ｗを形成するのであり、この場合、排水空間Ｗの巾Ｌ及びパネル厚さ方向の空間高さＨを８ｍｍ以上に設定している。
【００２９】
このような構成によれば、カバープレート２と壁パネル１ａ、１ｂ間に介装したシールパッキン８の外側のシール脚５のシールを破って浸入した雨水が例え８ｍｍ直径程度（大気圧下で最大値）にまで成長したとしても、シール脚５、５間には巾Ｌ及びパネル厚さ方向の空間高さＨを大気圧下の最大水滴径である８ｍｍ以上とした排水空間Ｗが存在していて、水滴が排水空間Ｗを充填してしまうことがなく、排水空間Ｗにおいて毛細管現象を確実に阻止して排水を良好におこなうことができるのであり、しかして、簡単の構成でありながら、壁パネル１ａ、１ｂの接続箇所におけるシール効果を充分に高めることができる。
【００３０】
更に、接続される壁パネル１ａ、１ｂのパネル側端面１２、１２間にパッキン３５を配設し、パッキン３５よりも壁下地３側に表面側が開放された断面コ字状の排水樋材２１を配設し、ボルト６をカバープレート２、パッキン３５及び排水樋材２１に挿通して壁下地３ａ、３ｂに固定していて、カバープレート２と壁パネル１ａ、１ｂの間に介装したシールパッキン８を越えて壁パネル１ａ、１ｂの接続箇所に浸入した雨水は、排水樋材２１に導入されて排水をおこなうことができるのであり、シールパッキン８の排水空間Ｗによるシール効果と併せて、充分なシール効果を得ることができる。しかも、ボルト６が圧縮状態のパッキン３５に挿入されてボルト６を伝う雨水の伝い込みを防止することができ、取付けのためのボルト６の周りのシール精度を高めることができる。
【００３１】
ところで、カバープレート２の幅方向の両端部に端部片２ａ、２ａが壁パネル１ａ、１ｂ側に折り曲げられていて、端部片２ａ、２ａが壁パネル１ａ、１ｂの表面に当接することで、シールパッキン８のシール脚５、５をそれ以上押圧して排水空間Ｗを変形させて形状を損なうことがなく、排水空間Ｗの所期の機能を確実に維持させるのである。しかも、端部片２ａ、２ａによって取付けの初期においてシールパッキン８が外れることがなく、内方からの施工において有利となる。
【００３２】
この場合、端部片２ａがあることによってシールパッキン８を所期の状態に圧縮することができるのであり、シール脚５、５間に排水空間Ｗを確実に形成することができ、充分なシール効果を得ることができる。ところで、端部片２ａと壁パネル１ａとの間にクリアランスＣが生じていてもよいものである。
【００３３】
しかも、ボルト６が圧縮状態のパッキン３５に挿入されてボルト６を伝う雨水の伝い込みを防止することができ、取付けのためのボルト６の周りのシール精度を高めることができるのである。
【００３４】
ところで、図３（ｂ）に示すように、壁パネル１ａ，１ａ（１ｂ，１ｂ）の縦方向の接続箇所で、壁パネル１ａの側端部には、目地シール３０が介装されていて上下接続箇所に浸入した雨水が横走りして上述した縦接続箇所に浸入するのを阻止するようにしている。そして、壁パネル１ａ，１ｂ間に介装したシールパッキン８の中空環状部３１が目地シール３０に弾接して、一層、シール効果を高めている。
【００３５】
図７乃至図９は各々シールパッキン８の他の実施の形態を示し、但し、本実施の形態の基本構成は上記実施の形態と共通であり、共通する部分には同一の符号を付して説明は省略する。
【００３６】
図７の実施の形態においては、シール脚５、５を外方に突曲するようにし、図８の実施の形態においては、断面略Ｍ字状にして排水空間Ｗを二重に構成するようにして、シール機能を高めたものである。この場合、同図（ａ）に示すように、シール脚５、５、５をパネル接続方向の外向きに傾斜させてもよく、又、同図（ｂ）に示すように、同内向きに傾斜させてもよいものである。図９の実施の形態においては、シール脚５、５を同内向きに傾斜するようにしたものである。このように、シールパッキン８の構成は種々変更することができるものである。
【００３８】
【発明の効果】
請求項１の発明においては、左右に間隔を隔てた壁下地間に全長にわたって表面側が開放された断面コ字状の排水樋材を備えたジョイント手段を取付け、一方の壁パネルを壁下地に内側より固定ボルトにて固定し、固定された壁パネルの端部表面にカバープレートの巾方向の一側部を仮置きし、カバープレートと一方の壁パネルとの間にカバープレートの全長にわたって帯状のシールパッキンが配され、シールパッキンの裏面には幅方向に間隔を隔てて複数のシール脚が全長に突出され、固定された壁パネルのパネル側端面に対向してパッキンが配され、カバープレートの巾方向の中央部にボルトを貫通させるとともにパッキンに挿通して壁下地に仮止めしてカバープレートを仮保持し、側方が開放されているカバープレートと他方の壁下地との間に他方の壁パネルを挿入して他方の壁パネルを他方の壁下地に内側より固定ボルトにて固定し、ボルトを内側より本締めしてカバープレートを押圧してシールパッキンの表面がカバープレートの裏面に、複数のシール脚の先端部が壁パネルの表面に弾接してシール脚間に排水空間を形成し、排水空間の巾及びパネル厚さ方向の空間高さを大気圧下の最大水滴径以上に設定しているから、一方の壁パネルを一方の壁下地に固定し、この固定された壁パネルの端部表面に一側部を預けたカバープレートを壁下地側に仮止めしたボルトによって仮保持し、このようにカバープレートと他方の壁下地間が開放されている状態で、他方の壁パネルを側方から挿入して他方の壁パネルを裏面側から壁下地に固定し、カバープレートを貫通しているボルトを本締めして、左右の壁パネルを壁下地に押圧して左右の壁パネルを内側からの作業にて固定することができるのであり、壁パネルの施工に際して、外面に足場を組むことをなくすことができるという利点がある。
この場合、シールパッキンの表面がカバープレートの裏面に、複数のシール脚の先端部が壁パネルの表面に弾接してシール脚間に排水空間を形成し、排水空間は巾及びパネル厚さ方向の空間高さを大気圧下の最大水滴径以上にしていて、カバープレートと壁パネル間に介装したシールパッキンの外側のシール脚のシールを破って浸入した水分が例え８ｍｍ直径程度（大気圧下で最大径）にまで成長したとしても、水滴が排水空間を充填してしまうことがなく、排水空間において毛細管現象を確実に阻止し、浸入した水滴を流下させて排水させることができるのであり、しかして、簡単の構成でありながら、壁パネルの接続箇所におけるシール効果を効果的に高めることができるという利点がある。
しかも、ボルトが圧縮状態のパッキンに挿入されてボルトを伝う雨水の伝い込みを防止することができ、取付けのためのボルトの周りのシール精度を高めることができる。
【００３９】
請求項２の発明においては、請求項１の効果に加えて、排水空間が並置されて複数形成されているから、並置された複数の排水空間によって、一層、シール効果を高めることができるという利点がある。
【図面の簡単な説明】
【図１】本発明の実施の形態を示す全体断面図である。
【図２】全体の分解斜視図である。
【図３】（ａ）は同上の縦方向の接続箇所の断面図、（ｂ）は斜視図、（ｃ）は作用を示す断面図である。
【図４】（ａ）（ｂ）（ｃ）（ｄ）及び（ｅ）は作用を示す斜視図である。
【図５】（ａ）（ｂ）（ｃ）及び（ｄ）は作用を示す斜視図、（ｅ）は正面図である。
【図６】同上の拡大断面図である。
【図７】同上の他の実施の形態の断面図である。
【図８】（ａ）（ｂ）は同上の更に他の実施の形態の断面図である。
【図９】同上の更に他の実施の形態の断面図である。
【符号の説明】
１ａ  壁パネル
１ｂ  壁パネル
２    カバープレート
３ａ  壁下地
３ｂ  壁下地
４    シール材
６    ボルト
８    シールパッキン
１２  パネル側端面
２１  排水樋材
２４  固定ボルト
３１  ジョイント手段
３５  パッキン
Ｗ    排水空間
【図１】
0003814216.tif 000002
【図２】
0003814216.tif 000003
【図３】
0003814216.tif 000004
【図４】
0003814216.tif 000005
【図５】
0003814216.tif 000006
【図６】
0003814216.tif 000007
【図７】
0003814216.tif 000008
【図８】
0003814216.tif 000009
【図９】
0003814216.tif 000010